(57)【特許請求の範囲】
【請求項１】
蓋部と本体部から構成され、全体が円筒状に形成されたスタンドと、前記スタンドの上部に設けられ且つヒータプラグとソケットを有するシガーライターユニットと、前記シガーライターユニットの周囲に設けられた灰皿と、ＡＣ／ＤＣ変換器を介してソケットに電気的に接続されたＡＣ電源コードと、直立姿勢にある利用者の少なくとも口元付近まで前記ヒータプラグを引き上げることができ且つスタンドからの分離を不能ならしめる紐状体とを備え、前記シガーライターユニットは、その上端部を蓋部の上面から突出させてあることを特徴とするシガーライター付きスタンド。
【請求項２】
蓋部は、その内周面が上面から下面に向かって縮径するテーパ面とこれに連続する垂下面とから構成されており、垂下面から落下してきた吸殻は灰皿内に落ちるようになっている請求項１記載のシガーライター付きスタンド。
【請求項３】
灰皿は上部開放の円筒状に形成され、外側構成壁と内側構成壁相互間に吸殻が収容されるようになっており、内部構成壁がシガーライターユニットを包囲している請求項１又は２に記載のシガーライター付きスタンド。
【請求項４】
紐状体が、下端部に重りを設けてあるワイヤー又はコイルバネであり、前記重りが本体部内の下方に位置するように設定してあると共に、ヒータプラグが上方に引き上げられて、前記重りが本体部内の上部近傍まで移動したときには、ほぼ直立姿勢にある利用者の口元付近までヒータプラグが移動するようになっている請求項１、２又は３のいずれかに記載のシガーライター付きスタンド。
【発明の詳細な説明】
【技術分野】
【０００１】
この発明は、シガーライターと煙草の吸殻を投入するための灰皿を有する電気式シガーライター付きスタンドに関するものである。
【背景技術】
【０００２】
煙草好きな人はところかまわず煙草を吸いたいものであり、自動車内（自動車に備えられたシガーライターを使用して喫煙する。例えば、特許文献１。）は勿論のこと、ホテル、空港と場所を全く気にすることなく、喫煙する。
【０００３】
しかしながら、近年、テロ事件の増加から空港内へのシガーライター等の持ち込みを禁止する方針が打ち出されており、空港側としては当該空港側が決定した場所に設置したシガーライターを乗客等に利用してもらうと考えている。
【０００４】
しかしながら、飛行の安全を確保すること、及び客へのサービス面等から、以下の(1)〜(3)に示すことをクリヤーしなければならないという問題がある。
(1)シガーライターが燃料切になって利用できなくなることを防止しなければならない (サービス面)。
(2)上記設置場所からシガーライターを機内に持ち込まれないようにしなければないが、たとえ、持ち込まれたとしても飛行の安全が確保できるようにしなければならない(安全面)。
(3)利用者が直立した楽な姿勢でシガーライターを利用できるようにしなければならない(サービス面)。
【０００５】
なお、上記内容は空港に対することであるが、シガーライターの自由な持ち込みを阻止したい場所（火災が発生した場合非常に危険な状態となるところ）では、同様の対策が必要であると考えられる。
【特許文献１】特開昭５９−１６３１８０号公報
【発明の開示】
【発明が解決しようとする課題】
【０００６】
そこで、この発明では、(1)シガーライターが使用不可能になるという事態が生じにくく、(2)シガーライターが持ち去られる可能性が低く且つたとえ持ち去られたとしても危険な状態が起こりえず、 (3)利用者が楽な姿勢でシガーライターを利用できるシガーライター付きスタンドを提供することを課題とする。
【課題を解決するための手段】
【０００７】
（請求項１記載の発明）
この発明のシガーライター付きスタンドは、
蓋部と本体部から構成され、全体が円筒状に形成されたスタンドと、前記スタンドの上部に設けられ且つヒータプラグとソケットを有するシガーライターユニットと、前記シガーライターユニットの周囲に設けられた灰皿と、ＡＣ／ＤＣ変換器を介してソケットに電気的に接続されたＡＣ電源コードと、直立姿勢にある利用者の少なくとも口元付近まで前記ヒータプラグを引き上げることができ且つスタンドからの分離を不能ならしめる紐状体とを備え、前記シガーライターユニットは、その上端部を蓋部の上面から突出させてあることを特徴とする。
蓋部は、その内周面が上面から下面に向かって縮径するテーパ面とこれに連続する垂下面とから構成されており、垂下面から落下してきた吸殻は灰皿内に落ちるようになっている。
灰皿は上部開放の円筒状に形成され、外側構成壁と内側構成壁相互間に吸殻が収容されるようになっており、内部構成壁がシガーライターユニットを包囲している。
紐状体が、下端部に重りを設けてあるワイヤー又はコイルバネであり、前記重りが本体部内の下方に位置するように設定してあると共に、ヒータプラグが上方に引き上げられて、前記重りが本体部内の上部近傍まで移動したときには、ほぼ直立姿勢にある利用者の口元付近までヒータプラグが移動するようになっている。
【発明の効果】
【０００８】
この発明のシガーライター付きスタンドを使用すると、(1)シガーライターが使用不可能になるという事態が生じにくく、(2)シガーライターが持ち去られる可能性が低く且つたとえ持ち去られたとしても危険な状態が起こりえず、 (3)利用者が楽な姿勢でシガーライターを利用できることになる。
【発明を実施するための最良の形態】
【０００９】
以下にこの発明のシガーライター付きスタンドを実施するための最良の形態としての実施例について詳細に説明する。
【実施例１】
【００１０】
図１はこの発明の実施例のシガーライター付きスタンドＳＳの全体断面図、図２は前記シガーライター付きスタンドＳＳの上部断面図、図３は前記シガーライター付きスタンドＳＳの上面図を示している。
（このシガーライター付きスタンドＳＳの基本的構成について）
このシガーライター付きスタンドＳＳは、空港に設置されるものであり、図１や図２に示すように、スタンド１と、前記スタンド１の上部に設けられ且つヒータプラグ２０とソケット２１を有するシガーライターユニット２と、前記シガーライターユニット２の周囲に設けられた灰皿３と、ＡＣ／ＤＣ変換器４を介してソケット２１に電気的に接続されたＡＣ電源コード５と、直立姿勢にある利用者の少なくとも口元付近まで前記ヒータプラグ２０を引き上げることができ且つスタンド１からの分離を不能ならしめる紐状体６とを備えている。なお、このシガーライター付きスタンドＳＳは、高さ７７０ｍｍ、直径２００ｍｍとしてある。
【００１１】
以下に、このシガーライター付きスタンドＳＳを構成するスタンド１、シガーライターユニット２等について詳述する。
（スタンド１の構成について）
スタンド１は、全体が円筒状に形成されており、図１や図２に示すように、
蓋部１０と本体部１１とから構成されている。
【００１２】
蓋部１０は、図３に示すように、平面視円形状に形成された環状のものであり、その内周面は図２に示すように上面から下面に向かって縮径するテーパ面１０ａとこれに連続する垂下面１０ｂとから構成されている。なお、この蓋部１０は本体部１１から上方に突出した後述する断面Ｌ字状部材１２ａ部分に外嵌せしめられる。
【００１３】
本体部１１は、図１に示すように、区画壁ｈ１，ｈ２により上部１２、中部１３、下部１４に区画されている。
【００１４】
上部１２には、図１や図２に示すように、その内周面に上部をカールした断面Ｌ字状部材１２ａを周設してあり、その内周縁により円形状の空間を形成してある。なお、上記断面Ｌ字状部材１２ａの内周径は図２に示すように、上記した垂下面１０ｂの外周径よりも大きな径に設定してある。
【００１５】
中部１３は、図１に示すように、最も高さを有する単純な円筒状に形成されたものである。
【００１６】
下部１４は、図１に示すように、高さが低い円筒状のものであり、シガーライター付きスタンドＳＳの転倒を防止すべく、その内部にウエイトＷを設けると共にその下端に面積の大きなベースプレート１５をビス止めしてある。
（シガーライターユニット２の構成について）
シガーライターユニットは、図１や図２に示すように、垂下面１０ｂが構成する円形状部分に遊挿される態様で区画壁ｈ１上に載せ置かれており、その上端部を上記蓋部１０の上面から少し突出させてある。
【００１７】
ここで、シガーライターユニット２の上面には、図１〜図３に示すように、３個のヒータプラグ２０とこれらが嵌入されるソケット２１を設けてある。
【００１８】
ヒータプラグ２０の上端には、図２に示すようにフック２２を設けてあり、前記フック２２を指で摘むことにより容易にソケット２１から抜くことができるようになっている。また、前記フック２２には、下端部に重り６０を設けてあるワイヤー６ａが取り付けられており、前記ワイヤー６ａの長さは重り６０が中部１３の下方に位置するように設定してある。なお、ヒータプラグ２０が上方に引き上げられて、前記重り６０が区画壁ｈ１近傍まで移動したときには、ほぼ直立姿勢にある利用者の口元付近までヒータプラグ２０が移動するようになっている。
【００１９】
ソケット２１は、上述した如くＡＣ／ＤＣ変換器４を介してＡＣ電源コードと電気的接続状態となっている。
【００２０】
上記したヒータプラグ２０とソケット２１とは、通常の自動車において使用されているものと同じであり、ヒータプラグ２０をソケット２１に一段深く押し込むことにより電源が入り、ヒータプラグ２０の温度が一定以上になったときに当該ヒータプラグ２０がソケット２１に対して元の状態にもどり電源がきれるようになっている。
（灰皿３の構成について）
灰皿３は、上述した如く図２に示すように、シガーライターユニット２の周囲に配置されている。
【００２１】
この灰皿３は、図２に示すように、上部開放の円筒状に形成されており、外側構成壁３０と内側構成壁３１相互間に吸殻が収容されるようになっている。また、この灰皿３には図２に示すように、最上部に鍔部３２を設けてあり、この鍔部３２を断面Ｌ字状部材１２ａの内周端部に載せ置くようにして設置されている。この状態において、垂下面１０ｂから落下してきた吸殻は灰皿３内に落ちるようになっている。なお、上記鍔部３２近傍には紐３３を取り付けてある。
（ＡＣ／ＤＣ変換器４について）
このＡＣ／ＤＣ変換器４は、一般に市販されているものであり、ＡＣ１００ＶをＤＣ１２Ｖ  ５Ａとするものである。
（ＡＣ電源コード５について）
ＡＣ１００Ｖに対応するものであり、キャップタイヤコードを使用している。
（紐状体６について）
紐状体６は、上述した如くワイヤー６ａの下端に重り６０を取り付けて構成されている。ワイヤー６ａは、人力によっては簡単には切れない強度を有しており、重り６０はヒータプラグ２０がシガーライター付きスタンドＳＳに対して抜け止め状態となるようにしてある。
【００２２】
なお、紐状体６としてはコイルバネ（好ましくは形状記憶樹脂からなるコイルバネ）を使用することもできる。この場合、コイルバネの伸びによりヒータプラグ２０を口元までに至るようにする。
（このシガーライター付きスタンドＳＳの優れた機能について）
(1)一般に使用されているＡＣ１００Ｖ電源があるところであれば、どこでも使用でき、燃料切れなどという問題は発生しない。つまり、シガーライターが使用不可能になるという事態が生じにくい。
(2) 紐状体６は、上述した如くワイヤー６ａの下端に重り６０を取り付けて構成されているが、ワイヤー６ａは、人力によっては簡単には切れない強度を有しており、重り６０はヒータプラグ２０がシガーライター付きスタンドＳＳに対して抜け止め状態となるようにしてある。したがって、ヒータプラグ２０が機内に持ち込まれる危険性は極めて低い。またたとえ機内に持ち込まれたとしてもヒータプラグ２０のみでは何ら安全に支障をきたすものとはならない。
(3) ヒータプラグ２０が上方に引き上げられて、前記重り６０が区画壁ｈ１近傍まで移動したときには、直立姿勢にある利用者の口元付近までヒータプラグ２０が移動するようになっているから、利用者は楽な姿勢でシガーライターを利用できる。
（その他）
このシガーライター付きスタンドＳＳでは、蓋部１０を取り去り、紐３３を持ち上げると、灰皿３を抜き取ることができる。したがって、灰皿３の清掃が容易である。
【図面の簡単な説明】
【００２３】
【図１】この発明の実施例のシガーライター付きスタンドの全体断面図。
【図２】前記シガーライター付きスタンドの上部断面図。
【図３】前記シガーライター付きスタンドの上面図。
【符号の説明】
【００２４】
ＳＳ      シガーライター付きスタンド
１        スタンド
２        シガーライターユニット
２０      ヒータプラグ
２１      ソケット
３        灰皿
４        ＡＣ／ＤＣ変換器
５        ＡＣ電源コード
６        紐状体
【図１】
0004596322.tif 000002
【図２】
0004596322.tif 000003
【図３】
0004596322.tif 000004